(57)【要約】【目的】  掃除機本体から手元グリップに至るモータ駆動回転ブラシの電源線を、水によるショート、感電或いは漏電の危険を回避できるようにして弾性吸引ホースの中に配設することにより、電気掃除機の取扱いを容易にした乾湿両用電気掃除機を提供すること。【構成】モータ駆動回転ブラシを有する吸込具２、操作部２１を有する手元グリップ３、掃除機本体１、掃除機本体１と手元グリップ３とを接続する電源線３３及び制御線４３、掃除機本体１と手元グリップ３とを接続する弾性吸引ホース４を備えている。弾性吸引ホース４は二重構造とされている。電源線３３及び制御線４３は二重構造ホース内に設けられており、かつ、電源線３３は内側ホース４０を１次側防水層とする二重構造の防水層により保護されている。【選択図】        図３
2005027973.tif 000002
【特許請求の範囲】
【請求項１】
モータ駆動回転ブラシを有する吸込具と、吸込具から空気とともに吸い込まれた塵埃、水を分離する掃除機本体と、操作部を有する手元グリップと、掃除機本体と手元グリップとを接続する弾性吸引ホースと、掃除機本体と手元グリップとを接続する電源線と、掃除機本体と手元グリップとを接続する制御線とを備え、前記吸引ホースは内側ホースと外側ホースとからなる二重構造ホースに形成され、前記電源線及び制御線は二重構造ホース内に設けられ、かつ、電源線は内側ホースを１次側防水層とする二重構造の防水層により保護されてなることを特徴とする乾湿両用電気掃除機。
【請求項２】
前記内側ホース及び外側ホースはそれぞれスパイラル形状の硬質部とその間を繋ぐ軟質部とで構成され、前記制御線は内側ホースの硬質部に埋設され、前記電源線は外側ホースの硬質部に埋設されてなることを特徴とする請求項１記載の乾湿両用電気掃除機。
【請求項３】
前記制御線及び電源線は各ホースの端部において線出しされ、線出しされた部分に機器を配線接続し、この接続部に熱収縮チューブを被せ、熱収縮チューブを加熱収縮させることにより防水処理されてなることを特徴とする請求項２記載の乾湿両用電気掃除機。
【請求項４】
前記内側ホース及び外側ホースは、連結具を介して手元グリップ及び掃除機本体の吸入口に対し接続されてなり、これら連結具は内側ホースの内側に差し込まれる内側接続管と外側ホースの内側に差し込まれる外側接続管とが組み合わされて構成されるとともに、内側接続管は、内側ホース差込部の外周に帯状シール材が１周以上巻き付けられてなり、さらに、内側ホースは帯状シール材が巻き付けられた内側接続管に差し込まれて接着されてなることを特徴とする請求項２又は３記載の乾湿両用電気掃除機。
【請求項５】
前記外側接続管のホース接続側端面は、前記硬質部と同じスパイラル形状を有する端面に形成され、前記内側接続管のホース接続側端面は、管軸方向に直交する端面に形成され、かつ、この端面の位置が前記外側接続管のスパイラル形状端面の中央になるように形成されていることを特徴とする請求項２〜４の何れか１項記載の乾湿両用電気掃除機。
【請求項６】
前記外側ホース及び内側ホースは、補強用保護チューブが外側に被せられていることを特徴とする請求項２〜５の何れか１項記載の乾湿両用電気掃除機。
【請求項７】
前記補強用保護チューブは、同一素材のチューブが二重に重ねて形成されていることを特徴とする請求項６記載の乾湿両用電気掃除機。
【請求項８】
前記補強用保護チューブは、その端部において吸引ホースに接着されてなることを特徴とする請求項６又は８記載の乾湿両用電気掃除機。
【請求項９】
前記連結具は、外側接続管の外側を覆う二つ割れのホースカバーを有し、このホースカバーは、内側に、補強用保護チューブが被せられた外側ホースの軟質部を挟着するリブを備えていることを特徴とする請求項６〜８記載の乾湿両用電気掃除機。
【請求項１０】
前記電源線は、外周が絶縁被覆で保護された電線であって、外側ホースと内側ホースとの間の空間部の軸方向に配置され、前記制御線は、内側ホースの硬質部に埋設されてなることを特徴とする請求項１記載の乾湿両用電気掃除機。
【請求項１１】
前記電源線は、外周が絶縁被覆で保護された電線であって、外側ホースと内側ホースとの間の空間部の軸方向に配置され、前記制御線は、外側ホースのスパイラル形状の硬質部に埋設されてなることを特徴とする請求項１記載の乾湿両用電気掃除機。
【請求項１２】
前記電源線は、外側ホースの硬質部に埋設され、前記制御線は、絶縁被覆で保護された電線であって、外側ホースと内側ホースとの間の空間部の軸方向に配置されてなることを特徴とする請求項１記載の乾湿両用電気掃除機。
【請求項１３】
前記外側ホースは、スパイラル形状に蛇腹が形成されてなり、前記電源線及び制御線は、外周が絶縁被覆で保護された状態で外側ホース内側の蛇腹内に取り付けられてなることを特徴とする請求項１記載の乾湿両用電気掃除機。
【請求項１４】
前記操作部は、掃除機の運転オンオフ機能、掃除機の吸込み力の強弱切り替え機能、モータ駆動回転ブラシの運転オンオフ機能を備えていることを特徴とする請求項１記載の乾湿両用電気掃除機。
【請求項１５】
前記手元グリップは、吸引ホースに対し所定角度範囲で回転自在に構成されていることを特徴とする請求項１記載の乾湿両用電気掃除機。
【請求項１６】
前記手元グリップは、モータ駆動の回転ブラシへ接続するための電源線を接続するコンセントと、吸込具に対し延長管を接続する接続口とを有し、操作部が上部となる状態位置では、接続口がコンセントより下方、かつ、コンセントより吸込具側の位置となるように構成されていることを特徴とする請求項１記載の乾湿両用電気掃除機。
【発明の詳細な説明】
【技術分野】
【０００１】
本発明は、空気とともに塵埃及び水を吸い込むことができるようにした電気掃除機、所謂乾湿両用タイプの電気掃除機において、吸込具に内蔵したモータ駆動回転ブラシのモータ電源線の処理に関する。
【背景技術】
【０００２】
塵埃及び水を含む空気を吸い込んで、掃除機本体内で水と塵埃を分離する乾湿両用タイプの電気掃除機としては、特許文献１に記載されたものがある。また、この特許文献１の乾湿両用タイプの電気掃除機は、掃除機本体と手元グリップとの間には一重の柔軟性のある弾性吸引ホースが接続され、吸込具にモータ駆動の回転ブラシが用いられている（特許文献１段落番号００１６参照）。なお、掃除機本体から把手までの回転ブラシ用モータ電源線の配線方法については何ら触れていない。
【特許文献１】特開平４−２３１０１６号公報
【特許文献２】特開平４−８４９１９号公報
【発明の開示】
【発明が解決しようとする課題】
【０００３】
掃除機本体から手元グリップまでの回転ブラシ用モータの電源線は、一重の吸引ホース内に電源線を入れると電線の周りに水が付着して、ショート、感電或いは漏電する恐れがある。また、一重の吸引ホースの円筒状壁部に電源線を埋設すると、吸引ホースが掃除時の曲げなどにより大きな引張荷重を受けて破れるような場合に、ショート、感電或いは漏電する恐れがある。したがって、従来のものでは、一重の弾性吸引ホースの外側に沿うように配線せざるを得ない。しかし、この場合手元グリップで吸込具を操作して掃除をするときに、モータ電源線が弛んで椅子その他の家具に引っかかるようなことがあり、掃除機の操作性が阻害されるという問題点があった。
【０００４】
本発明は、このような問題点に着目してなされたものである。その目的とするところは、掃除機本体から手元グリップに至るモータ駆動回転ブラシの電源線を、水によるショート、感電或いは漏電の危険を回避できるように弾性吸引ホースの中に配設することにより、電気掃除機の取扱いを容易にした乾湿両用電気掃除機を提供することにある。
【課題を解決するための手段】
【０００５】
本発明に係る乾湿両用電気掃除機は、このような課題を達成するために成されたものであって、モータ駆動回転ブラシを有する吸込具と、吸込具から空気とともに吸い込まれた塵埃及び水を分離する掃除機本体と、操作部を有する手元グリップと、掃除機本体と手元グリップとを接続する弾性吸引ホースと、掃除機本体と手元グリップとを接続する電源線と、掃除機本体と手元グリップとを接続する制御線とを備え、前記吸引ホースは内側ホースと外側ホースとからなる二重構造ホースに形成され、前記電源線及び制御線は二重構造ホース内に設けられ、かつ、電源線は内側ホースを１次側防水層とする二重構造の防水層により保護されてなることを特徴とする。
【０００６】
前記内側ホース及び外側ホースはそれぞれスパイラル形状の硬質部とその間を繋ぐ軟質部とで構成され、前記制御線は内側ホースの硬質部に埋設され、前記電源線は外側ホースの硬質部に埋設されてなる構成としてもよい。
【０００７】
また、前記制御線及び電源線は、各ホースの端部において線出しされ、線出しされた部分に機器を配線し、この機器の接続部に熱収縮チューブを被せ、熱収縮チューブを加熱収縮することにより防水処理されてなるものにしてもよい。
【０００８】
また、前記内側ホース及び外側ホースは、連結具を介して手元グリップ及び掃除機本体の吸入口に対し接続されてなり、これら連結具は内側ホースの内側に差し込まれる内側接続管と外側ホースの内側に差し込まれる外側接続管とが組み合わされて構成されるとともに、内側接続管は、内側ホース差込部の外周に帯状シール材が１周以上巻き付けられてなり、さらに、内側ホースは帯状シール材が巻き付けられた内側接続管に差し込まれて接着されてなるものにしてもよい。
【０００９】
また、前記外側接続管のホース接続側の端面は、前記硬質部と同じスパイラル形状を有する端面に形成され、前記内側接続管のホース接続側端面は、管軸方向に直交する端面に形成され、かつ、この端面の位置が前記外側接続管のスパイラル形状端面の中央になるように形成されるようにしてもよい。
【００１０】
また、前記外側ホースは及び内側ホースは、補強用保護チューブが外側に被せられているようにしてもよい。
【００１１】
また、前記補強用保護チューブは、同一素材のチューブが二重に重ねて形成されているものにしてもよい。
【００１２】
また、前記補強用保護チューブは、その端部において吸引ホースに接着されてなるものにしてもよい。
【００１３】
また、前記連結具は、外側接続管の外側を覆う二つ割れのホースカバーを有し、このホースカバーは、内側に、補強用保護チューブが被せられた外側ホースの軟質部を挟着するリブを備えているものであってもよい。
【００１４】
また、前記電源線は、外周が絶縁被覆で保護された電線であって、外側ホースと内側ホースとの間の空間部の軸方向に配置され、前記制御線は、内側ホースのスパイラル形状の硬質部に埋設されてなるものであってもよい。
【００１５】
また、前記電源線は、外周が絶縁被覆で保護された電線であって、外側ホースと内側ホースとの間の空間部の軸方向に配置され、前記制御線は、外側ホースの硬質部に埋設されてなるものであってもよい。
【００１６】
また、前記電源線は、外側ホースの硬質部に埋設され、前記制御線は、絶縁被覆で保護された電線であって、外側ホースと内側ホースとの間の空間部の軸方向に配置されてなるものであってもよい。
【００１７】
また、前記外側ホースは、スパイラル形状に蛇腹が形成されてなり、前記電源線及び制御線は、外周が絶縁被覆で保護された状態で外側ホース内側の蛇腹内に取り付けられてなるものであってもよい。
【００１８】
また、前記操作部は、掃除機の運転オンオフ機能、掃除機の吸込み力の強弱切り替え機能、モータ駆動回転ブラシの運転オンオフ機能を備えているものであってもよい。
【００１９】
また、前記手元グリップは、吸引ホースに対し所定角度の範囲で回転自在に構成されているものであってもよい。
【００２０】
また、前記手元グリップは、モータ駆動の回転ブラシへ接続するための電源線を接続するコンセントと、吸込具に対し延長管を接続する接続口とを有し、操作部が上部となる状態位置では、接続口がコンセントより下方、かつ、コンセントより吸込具側の位置となるように構成されたものであってもよい。
【発明の効果】
【００２１】
本発明によれば、吸引ホースが内側ホースと外側ホースとからなる二重構造ホースに形成されるとともに、掃除機本体と手元グリップとを接続する電源線及び制御線が二重構造ホース内に設けられているので、電源線が掃除の際に家具等に引っかかって掃除機の操作性を阻害するようなことがなくなる。また、本発明では、電源線は内側ホースを１次側防水層とする二重構造の防水層により保護されるので、吸込具から水を吸い込む場合において、内側ホースが曲げなどにより大きな引張加重を受けた場合に破れるようなことがあっても、例えば１００Ｖの電源線が直ちに露出することがなく、安全性を確保することができる。
【００２２】
また、上記構成の発明において、内側ホース及び外側ホースがそれぞれスパイラル形状の硬質部とその間を繋ぐ軟質部とで構成され、制御線が内側ホースの硬質部に埋設され、電源線が外側ホースの硬質部に埋設された場合には、吸引ホースの組み立てにおいて、電源線及び制御線を吸引ホース内に挿通させる手間が不要となるので、組立作業が容易になる。
【００２３】
また、上記構成の発明において、制御線及び電源線を各ホースの端部において線出しし、この線出部に機器を配線接続し、この接続部に熱収縮チューブを被せ、熱収縮チューブを加熱収縮させることにより防水処理した場合には、この接続部からのショート、感電或いは漏電を防止することができる。すなわち、水及び塵埃が通過する内側ホースが掃除時に破れ、吸引ホースの外面に水が飛散して外側ホースの外皮に水が付着するような場合、外側ホースの線出部と配線用リード線との接続部（半田部）に水が付着することが考えられる。しかしながら、上記のように構成していると、接続部が熱収縮チューブにより防水保護されているので、ショート、感電或いは漏電の危険を回避することができる。
【００２４】
また、上記構成の発明において、内側ホース及び外側ホースを連結する連結具が内側接続管と外側接続管とで構成され、内側接続管の内側ホース差込部の外周に帯状シール材が１周以上巻き付けられ、さらに、内側ホースが内側接続管に差し込まれて接着されている場合には、内側ホースと接続管との気密性が良好となり、内側ホースと接続管との間からの水の浸入を防止し、ショート、感電のおそれを回避することができる。
【００２５】
また、上記構成の発明において、外側接続管の端面を外側ホースの硬質部と同じスパイラル形状を有する端面に形成し、内側接続管の端面を軸方向に直交する端面に形成し、かつこの端面の位置を外側接続管の端面のスパイラル形状の中央部に位置するようにしている場合には、所定直径の外側ホースと内側ホースとの隙間を最大限に大きくすることができ、両ホース間の接触による損傷を低減し耐久性を向上させることができる。
【００２６】
また、上記構成の発明において、外側ホース及び内側ホースの外側に補強用保護チューブを被せた場合には、吸引ホース屈曲時の大きな引張加重に対する耐久性（破れ防止効果）を向上させることができる。
【００２７】
また、上記構成の発明において、前記補強用保護チューブを、同一素材のチューブが二重に重ねられたものとすると、吸引ホース屈曲時の大きな引張加重に対する耐久性をより一層向上させることができる。
【００２８】
また、上記構成の発明において、前記補強用保護チューブを、その端部でホースに接着する場合には、吸引ホース屈曲時の引張荷重により、チューブがずれるようなことがなくなる。
【００２９】
また、上記構成の発明において、外側接続管の外側を覆う二つ割れのホースカバーを設け、このホースカバーの内側に、補強用保護チューブが被せられた外側ホースの軟質部を挟着するリブを設けた場合には、補強用保護チューブがリブと外側ホースとの間に挟まれるので、吸引ホース屈曲時の引張加重により補強用保護チューブが所定位置からずれるのを防止することができる。
【００３０】
また、上記構成の発明において、モータ電源線を、外周が絶縁被覆で保護された電線（絶縁被覆保護電線）として外側ホースと内側ホースとの間の空間部に軸方向に配置し、制御線を、内側ホースの硬質部に埋設された構成とした場合も、内側ホースが何らかの原因で破れるようなことがあっても、１００Ｖのモータ電源線が直ちに露出することがなく、安全性を確保することができる。
【００３１】
また、上記構成の発明において、モータ電源線を、絶縁被覆保護電線として外側ホースと内側ホースとの間の空間部に軸方向に配置し、制御線を、外側ホースの硬質部に埋設された構成とした場合も、内側ホースが何らかの原因で破れるようなことがあっても、１００Ｖのモータ電源線が直ちに露出することがなく、安全性を確保することができる。
【００３２】
また、上記構成の発明において、モータ電源線を、外側ホースの硬質部に埋設された構成とし、制御線を、絶縁被覆保護電線として外側ホースと内側ホースとの間の空間部に軸方向に配置した場合も、内側ホースが何らかの原因で破れるようなことがあっても、１００Ｖのモータ電源線が直ちに露出することがなく、安全性を確保することができる。
【００３３】
また、上記構成の発明において、外側ホースを、スパイラル形状に蛇腹が形成された構成とし、モータ電源線及び制御線を、外周が絶縁被覆で保護された状態で外側ホース内側の蛇腹内に取り付けるように構成しても、内側ホースが何らかの原因で破れるようなことがあっても、１００Ｖのモータ電源線が直ちに露出することがなく、安全性を確保することができる。
【００３４】
また、上記構成の発明において、操作部を、掃除機の運転オンオフ機能、掃除機の吸込み力の強弱切り替え機能及びモータ駆動回転ブラシの運転オンオフ機能を備えるようにすると、操作部での操作機能が多様化し、掃除機の操作性が向上する。
【００３５】
また、上記構成の発明において、手元グリップを、吸引ホースに対し所定角度範囲で回転自在に構成した場合は、手元グリップによる掃除機の操作機能を低下しないようにしながら、モータ電源線や制御線の弛みによる操作性阻害の問題を解消することができる。
【００３６】
また、上記構成の発明において、手元グリップに電源線を接続するコンセントと吸込具への延長管を接続する接続口とを設け、操作部が上部となるようにこの手元グリップを位置させたときに、接続口がコンセントより下方、かつ、コンセントより吸込具側の位置となるように構成した場合には、手元グリップの接続口に延長管を接続せずに水を吸い込ませるような操作をしても、接続口が水に触れるだけで、コンセントは水に触れることがない。コンセント部が水に濡れてショート、感電或いは漏電を生ずるようなことがない。
【発明を実施するための最良の形態】
【００３７】
以下に発明を実施するための最良の形態を具体的に示す。
【実施例１】
【００３８】
この発明の実施例１について図１〜図２６に基づいて説明する。図１は本発明の実施例１に係る電気掃除機の全体外観斜視図である。図２は同電気掃除機の吸引ホースの外観図である。図３は同吸引ホースの断面図である。図４は同吸引ホースの本体連結具周りの側断面図である。図５は同連結具の平面図であって、ホースフックなどを省略した図である。図６は同電気掃除機の手元グリップの側断面図である。図７は同手元グリップの上蓋を外した状態における上面図である。図８は同吸引ホースの手元連結具部分の側断面図である。図９は同吸引ホースを構成する外側ホースの組立図である。図１０は同吸引ホースを構成する内側ホースの組立図である。図１１は内側ホースと外側ホースとを組み合わせた状態における掃除機本体側の接続管周りの側面図であって、下半分は外側ホースを取り外した状態を示す。図１２は同吸引ホースの本体連結具を構成する外側ホース接続管の側面図である。図１３は同外側ホース接続管の平面図である。図１４は同吸引ホースの手元グリップ側連結具を構成する外側ホース接続管の側面図である。図１５は同外側ホース接続管の平面図である。図１６は同吸引ホースの本体連結具を構成する内側ホース接続管の側面図である。図１７は同内側ホース接続管の平面図である。図１８は帯状シール材を巻き付けた状態の同内側ホース接続管の側面図である。図１９は同内側ホース接続管の帯状シール材を巻き付けた部分の断面図である。図２０は同内側ホース接続管に内側ホースを接続した状態図である。図２１は同吸引ホースの手元グリップ側連結具を構成する内側ホース接続管の側面図である。図２２は同内側ホース接続管の平面図である。図２３は同内側ホース接続管に内側ホースを接続した状態図である。図２４は図３におけるＡ−Ａ断面図であり、図２５は図３におけるＢ−Ｂ断面図であり、図２６は図３におけるＣ−Ｃ断面図である。
【００３９】
本実施例１に係る電気掃除機は、図１に示すように、掃除機本体１、吸込具２、手元グリップ３、掃除機本体１と手元グリップ３との間に接続される弾性吸引ホース４、手元グリップ３と吸込具２との間に接続される延長管５、手元グリップ３と吸込具２との間に接続されるモータ電源線６などから構成されている。
【００４０】
また、この電気掃除機は、吸込具２から空気とともに塵埃及び水吸い込み可能にした所謂乾湿両用電気掃除機であって、掃除機本体１は例えば特許文献２に記載されているような構成のものである。すなわち、掃除機本体１は、吸引ホース４を接続する吸入口１１を介して水及び塵埃を含む空気を吸い込み、本体内で水とごみを分離収集して、水及び塵埃を除去した空気を排出口１２から排出するようにしたものである。
【００４１】
吸込具２は、内部にモータ駆動の回転ブラシ（図示せず）を備えている。また、吸込具２は、延長管５の先端部に差し込み式に取り付けられている。回転ブラシ駆動用モータの電源線６は、延長管５に設けられた電線保持具５ａを通り手元グリップ３の前面側に設けられたコンセント１５に接続されている。
【００４２】
手元グリップ３は、図２及び図６に示すように、後面側上部に把手部１６を有し、後面側下部に吸引ホース手元連結具７０を有し、前面側に延長管を接続する接続口１８を有している。また、この手元グリップ３を操作部２１が上部となる状態にした状態では、接続口１８がコンセント１５より下方、かつ、コンセント１５より吸込具２側の位置となるように構成されている。
【００４３】
手元グリップ３の操作部２１には、複数のスイッチを形成したスイッチ部２２が形成されている。操作部２１の内部には、制御用電子部品を搭載した基板２３が設けられている。また、操作部２１は、スイッチ部２２を操作することにより、掃除機の運転オンオフ機能、掃除機の吸込み力の強弱切り替え機能、吸込具２に内蔵されているモータ駆動回転ブラシのオンオフ制御機能などの機能を行えるように構成されている。
【００４４】
吸引ホース４は、図１及び図２に示すように、本体連結具５０及び手元連結具７０を介して手元グリップ３と掃除機本体１の吸入口１１との間に接続されている。また、吸引ホース４は、図３に示すように、外側ホース３０と内側ホース４０との二重構造ホースに形成されており、各ホース３０、４０は、樹脂製であって、スパイラル形状の硬質部３１、４１とその間を繋ぐスパイラル形状の軟質部３２、４２とから構成されている。外側ホース３０の硬質部３１には、掃除機本体１と手元グリップ３との間を接続する回転ブラシ用モータの電源線３３が埋設され、内側ホース４０の硬質部４１には制御線４３が埋設されている。
【００４５】
図４、図５及び図９に示すように、外側ホース３０は、掃除機本体１側では、本体連結具５０を構成する樹脂製の第１接続管５１（図１２、１３参照）の外周側にねじ込まれて接着され、手元グリップ３側では、図６、図７及び図９に示すように、樹脂製の手元連結具７０を構成する第２接続管７１（図１５、１６参照）の外周側にねじ込まれて接着されている。
【００４６】
なお、第１接続管５１及び第２接続管７１の外周に形成された部分的スパイラル形状の突起５１ａ及び７１ａは、外側ホース３０をねじ込むときのガイド及び抜け止め用の突起であり、それぞれ２個所に設けられている（図３、４、６、８、１２〜１５参照）。
【００４７】
また、第１接続管５１及び第２接続管７１は、本発明にいう外側接続管を意味する。
【００４８】
また、図９に示すように、外側ホース３０の端部において電源線３３が硬質部３１から予め線出しされ、本体連結具５０側には接続用端子５２が接続され、手元連結具７０側にはコネクター７２が接続されている。接続用端子５２は、本体連結具５０が掃除機本体１の吸入口１１に差し込まれた際に掃除機本体１側に内蔵されているコネクター（図示せず）に差し込まれるように後述の第３接続管５４の外表面部の所定位置にしっかりと固定されている。コネクター７２は手元グリップ３に内装されている基板２３に設けられているコネクター（図示せず）に接続される。電源線３３と接続用端子５２、７２との接続部は、熱収縮チューブ５３、７３を被せ、熱収縮チューブ５３、７３を加熱収縮させて通電部を密閉、防水及び絶縁している。
【００４９】
また、図１０の内側ホース４０の組立図に示すように、内側ホース７０の掃除機本体１側では、本体連結具５０を構成する樹脂製の第３接続管５４（図１６、１７参照）の外周側に発砲ポリエチレン製の帯状シール材５５が巻きつけられ（図１８、１９参照）、その上から嵌め込まれて接着されている（図２０参照）。接着剤は第３接続管５４側と帯状シール材５５側との両面に塗布されて接着している。
【００５０】
また、内側ホース４０の手元グリップ３側では、手元連結具７０を構成する樹脂製の第４接続管７４（図２１、２２参照）の外周側に、前述の帯状シール材５５と同様のもの７５が巻きつけられて嵌め込まれ、接着されている（図２３参照）。
【００５１】
なお、第３接続管５４及び第４接続管７４の外周に形成された部分的スパイラス形状の突起５４ａ、７４ａは、内側ホース４０をねじ込むときのガイド及び抜け止め用の突起であって、２個所に設けられている。
【００５２】
また、第３接続管５４及び第４接続管７４は、本発明にいう内側接続管を意味する。
【００５３】
また、図１０に示されるように、内側ホース４０の端部では、制御線４３が硬質部４１から線出しされ、本体連結具５０側には接続用端子５６が接続され、手元連結具７０側にはコネクター７６が接続されている。接続用端子５６は、本体連結具５０が掃除機本体１の吸入口１１に差し込まれた際に掃除機本体１側に内蔵されているコネクター（図示せず）に差し込まれるように第３接続管５４の外表面部の所定位置にしっかりと固定されている。コネクター７６は、手元グリップ３に内装されている基板２３に設けられているコネクター（図示せず）に接続される。制御線４３と接続用端子５６及びコネクター７６との接続部は、外側ホース３０における場合と同様に、熱収縮チューブ５７、７７を被せ、熱収縮チューブ５７、７７を加熱収縮させて通電部を密閉し、防水及び絶縁している。
【００５４】
外側ホース３０の電源線３３用の接続用端子５２と内側ホース４０の制御線４３用の接続用端子５６とは、図１１に示すように、所定の間隔で平行に配置され、後記するように第３接続管５４を掃除機本体１の吸入口１１に差し込む際に、同時に本体側コネクターに差し込み可能とされている。
【００５５】
本体連結具５０は、図４から分かるように、第１接続管５１、第３接続管５４、二つ割れのホースカバー５８などから構成されている。
【００５６】
以下に、本体連結具５０周りの構成を説明する。
【００５７】
第３接続管５４は、側面にホースフック５９が取り付けられ、掃除機本体１の吸入口１１に差し込まれた際にホースフック５９が弾性的に掃除機本体１の吸入口１１に設けられた係合部に係合して固定されるようになっている。
【００５８】
第１接続管５１は、第３接続管５４に内側ホース４０がねじ込まれて接着された状態の外側に被せられる。
【００５９】
二つ割れホースカバー５８は、第１接続管５１を取り囲むようにカバーされるもので、二つ割れホースカバー５８間は一方側に形成された爪が他方側に形成された孔部に対し弾性的に嵌合することにより一体化されるように構成されている。
【００６０】
ホースカバー５８が第１接続管５１を取り囲むように取り付けられると、次のような状態になる。二つ割れホースカバー５８の端部において内側に突出する環状リブ６１（図３〜５参照）が第３接続管５４に部分的に形成された環状溝６２（図１１、１６〜１８参照）に嵌り込み、ホースカバー５８の軸方向の抜け止めが行われている。また、ホースカバー５８には軸方向の溝６３が形成され、この溝６３に第３接続管５４から外周面下方部から突出する突部６４が嵌り込みホースカバー５８の回り止めが行われている（図３、４、２０、２４参照）。そして、第１接続管５１の外周に部分的に形成された環状リブ６５（図１２、１３参照）がホースカバー５８の環状溝６６に嵌り込み（図３〜５参照）、第１接続管５１の軸方向の抜け止めがなされている。また、第１接続管５１の外周下方部に形成された溝６７にホースカバー５８の突起６８が嵌り込み、第１接続管５１の回転が規制される（図２５参照）。
【００６１】
手元連結具７０は、図６から分かるように、第２接続管７１、第４接続管７４、二つ割れのホースカバー７８などから構成されている。
【００６２】
手元連結具７０周りの構成は、次のようになっている。すなわち、外側ホース用の第２接続管７１（図１４、１５参照）の端部に形成された内向き鍔部８１が第４接続管７４（図２１、２２参照）の中央部に形成された環状リブ８２に係合した状態とされ、さらに、内向き鍔部８１に設けられた軸方向の溝８１ａ（図１４、１５参照）と第４接続管７４に形成された軸方向の突起７４ｂ（図２１、２２参照）とが嵌合させた状態となっている（図３６参照）。そして、この状態に組み合わされた第２接続管７１及び第４接続管７４が連結具差込口１７から差し込まれている。また、第２接続管７１及び第４接続管７４が連結具差込口１７から差し込まれ後、第４接続管７４の溝部８３に板状ストッパー８４の先端が嵌められている。これにより、第４接続管７４は連結具差込口１７の軸方向に対し抜け止めがなされるとともに（図６参照）、連結具差込口１７が第４接続管７４に対し回動可能とされる。なお、溝部８３には外方に突出する突起物８３ａがあるため、板状ストッパー８４がこの突起物８３ａに当たるまでの範囲が回動可能となる。
【００６３】
手元グリップ３は、手元連結具７０周りが上記のように構成されていることにより、所定角度範囲内で吸引ホース４に対し回転自在の構成となる。
【００６４】
また、前述のように、第２接続管７１の鍔部８１が第４接続管７４の環状リブ８２に係合していることにより、第２接続管７１の抜け止めがなされ、さらに、鍔部８１に設けられた軸方向の溝８１ａと第４接続管７４に形成された軸方向の突起７４ｂが嵌合することにより、第４接続管７４に対する第２接続管の回り止めが行われている。
【００６５】
二つ割れホースカバー７８は、第２接続管７１を取り囲むようにカバーされるもので、二つ割れホースカバー７８間は一方側に形成された爪が他方側に形成された孔部に対し弾性的に嵌合することにより一体化されるように構成されている。
【００６６】
ホースカバー７８は、第２接続管７１を取り囲むように取り付けられた状態において、第４接続管の外周部に形成された突起部８５により回り止めされる（図３参照）。また、ホースカバー７８は、内側に形成される環状溝８６と第２接続管７１の外周に形成される鍔部８７とが嵌り合うことにより軸方向への抜け止めがなされている（図３、４、８参照）。
【００６７】
第４接続管の先端部と手元グリップ３の連結具差込口１７の内壁との間には、円周方向にひれつきの環状パッキン８８が２段に設けられ、吸引ホース４への空気通路と第３接続管５４の外周側との間の気密性が保持されている（図３、６参照）。
【００６８】
次に、外側ホースを接続する第１接続管５１及び第２接続管７１、並びに内側ホースを接続する第３接続管５４及び第４接続管７４のホース接続側の端面形状について説明する。
【００６９】
第１接続管５１及び第２接続管７１の接続管５１、７１のホース接続側の端面形状は、外側ホース３０の硬質部３１のスパイラル形状に合わせてカットされている。なお、スパイラル端面は１周すると、軸方向に差異が生じ元に戻らなくなるので、第１接続管５１及び第２接続管７１のホース接続側の端面は１周する直前で螺旋開始位置に向かって斜めに繋げられている。このようにすると、外側ホース３０は、第１接続管５１及び第２接続管７１の端面と硬質部３１で接触することになり、破れにくくなる。
【００７０】
一方、内側ホース４０を接続する第３接続管５４及び第４接続管７４のホース接続側の端面形状は、管軸に直交する形状に形成され、かつその位置を第１接続管５１及び第２接続管７１におけるスパイラル形状の中央としている。
【００７１】
なお、第３接続管５４及び第４接続管７４のホース接続側の端面形状を第１接続管５１及び第２接続管７１の端面形状と同様にスパイラル形状にすると、外側ホース３０と内側ホース４０とのそれぞれにスパイラル形状の硬質部が形成されている関係上、両ホース間の隙間が小さくなり、接触による磨耗が激しくなることが分かった。また、上記のように、外側接続管及び内側接続管のホース接続側端面を形成すると、外側ホース３０と内側ホース４０との接触が緩和され、両者の磨耗の少なくなることが分かった。
【００７２】
吸引ホース４は、図４及び図８に示すように、二重構造による重量増加を抑制するため外側ホース３０に補強用保護チューブ３５を被せることにより外側ホース３０の肉厚を薄くすることができるようにしている。また、掃除機の使用時に吸引ホース４が屈曲されると引張加重が大きくなるので、内側ホース４０にも補強用保護チューブ４５を被せている。
【００７３】
これら補強用保護チューブ３５、４５は、引張加重により第１〜第４接続管５１、５４、７１、７４に被さっている部分が、第１〜第４接続管５１、５４、７１、７４の端面からずれるおそれがあるので、補強用保護チューブ３５、４５の各端面部分を外側ホース３０又は内側ホース４０に接着剤を塗布して接着している。
【００７４】
なお、この補強用保護チューブ３５、４５は、一重のものでもよいが耐久性を向上させるために同一素材のチューブが二重に重ねられたものとしている。
【００７５】
上記のように構成された吸引ホース４を組み立てる場合は次のように行う。
【００７６】
まず、図９のごとく、外側ホースを外側接続管、すなわち、第１接続管５１及び第２接続管７１に接続用端子５２及びコネクター７２を配線接続した外側ホース３０の組立品を形成する。また、図１０のごとく、内側接続管、すなわち、第３接続管５４及び第４接続管７４に接続用端子５２及びコネクター７２を配線接続した内側ホース４０の組立品を形成する。そして、図９のごとき外側ホース３０の組立品の本体側を、図１０のごとき内側ホース４０の組立品の手元グリップ３側から被せていく。このようにして図３のごとき組立て状態にする。次いで、図３の組立品の手元グリップ３側を手元グリップ３に結合させる。
【００７７】
本実施例に係る乾湿両用電気掃除機は以上のごとく構成されているので、次のような作用効果を奏することができる。
【００７８】
吸引ホース４が内側ホース４０と外側ホース３０とからなる二重構造ホースに形成されるとともに、掃除機本体１と手元グリップ３とを接続する電源線３３及び制御線４３が二重構造ホース内に設けられているので、電源線３３が掃除の際に家具等に引っかかって掃除機の操作性を阻害するようなことがなくなる。また、本実施例の乾湿両用電気掃除機によれば、電源線３３は内側ホース４０を１次側防水層とする二重構造の防水層により保護されるので、吸込具２から水を吸い込む場合において、内側ホース４０が曲げなどにより大きな引張加重を受けた場合に破れるようなことがあっても、例えば１００Ｖの電源線３３が直ちに露出することがなく、安全性を確保することができる。
【００７９】
また、内側ホース４０及び外側ホース３０がそれぞれスパイラル形状の硬質部３１、４１とその間を繋ぐ軟質部３２、４２とで構成され、制御線４３が内側ホース４０の硬質部４１に埋設され、電源線３３が外側ホース３０の硬質部３１に埋設されているので、吸引ホース４の組み立てにおいて、電源線３３及び制御線４３を吸引ホース４内に挿通させる手間が不要となり、組立作業が容易になる。
【００８０】
また、制御線４３及び電源線３３を各ホース３０、４０の端部において線出しし、この線出部に接続用端子５２、５６又はコネクター７２、７６を配線接続し、この接続部に熱収縮チューブ５７、７７を被せ、加熱し、収縮させることにより防水処理した場合には、この接続部からのショート、感電或いは漏電を防止することができる。すなわち、水及び塵埃が通過する内側ホース４０が掃除時に破れ、吸引ホース４の外面に水が飛散して外側ホース３０の外皮に水が付着するような場合、電源線３３の接続用端子５２、５６又はコネクター７２、７６との接続部（半田部）に水が付着することが考えられる。しかしながら、上記のように構成しているので、接続部が熱収縮チューブ５７、７７により防水保護されており、ショート、感電或いは漏電の危険を回避することができる。
【００８１】
また、内側ホース４０及び外側ホース３０を連結する連結具５０、７０が第３接続管５４及び第４接続管７４からなる内側接続管と第１接続管５１及び第２接続管７１からなる外側接続管とで構成され、内側接続管の内側ホース４０の差込部の外周に帯状シール材５５、７５が１周以上巻き付けられ、さらに、内側ホース４０が内側接続管に差し込まれて接着されているので、内側ホース４０と第３接続管５４及び第４接続管７４との気密性が良好となり、内側ホース４０と第３接続管５４及び第４接続管７４との間からの水の浸入を防止し、ショート、感電或いは漏電のおそれを回避することができる。
【００８２】
また、第１接続管５１及び第２接続管５４からなる外側接続管のホース接続側端面を外側ホース３０の硬質部３１と同じスパイラル形状を有する端面に形成し、第３接続管５４及び第４接続管７４からなる内側接続管のホース接続側端面を軸方向に直交する端面に形成し、かつこの端面の位置を外側接続管の端面のスパイラル形状の中央部に位置するようにしているので、外側ホース３０と内側ホース４０との隙間を最大限に大きくすることができ、両ホース３０、４０間の接触による損傷を低減し耐久性を向上させることができる。
【００８３】
また、外側ホース３０及び内側ホース４０の外側に補強用保護チューブ３５、４５を被せているので、吸引ホース４の屈曲時の大きな引張加重に対する耐久性（破れ防止効果）を向上させることができる。
【００８４】
また、補強用保護チューブ３５、４５を、同一素材のチューブが二重に重ねられたものとしているので、吸引ホース４屈曲時の大きな引張加重に対する耐久性をより一層向上させることができる。
【００８５】
また、補強用保護チューブ３５、４５を、その端部で吸引ホース４に接着しているので、吸引ホース４屈曲時の引張荷重により、補強用保護チューブ３５、４５がずれるようなことがなくなる。
【００８６】
また、手元グリップ３の操作部２１を、掃除機の運転オンオフ機能、掃除機の吸込み力の強弱切り替え機能及びモータ駆動回転ブラシの運転オンオフ機能を備えるようにしているので、操作部２１での操作機能が多様化し、掃除機の操作性が向上する。
【００８７】
また、手元グリップ３を、吸引ホース４に対し所定角度範囲で回転自在に構成しているので、手元グリップ３による掃除機の操作機能を低下しないようにしながら、モータ電源線３３や制御線４３の弛みによる操作性阻害の問題を解消することができる。
【００８８】
また、手元グリップ３に電源線６を接続するコンセント１５と吸込具２への延長管５を接続する接続口１８とを設け、操作部２１が上部となるようにこの手元グリップ３を位置させたときに、接続口１８がコンセント１５より下方、かつ、コンセント１５より吸込具２側の位置となるように構成しているので、手元グリップ３の接続口１８に延長管５を接続せずに水を吸い込ませるような操作をしても、接続口１８が水に触れるだけで、コンセント１５は水に触れることがなく、コンセント１５が水に濡れてショート、感電或いは漏電を生ずるようなことがない。
【実施例２】
【００８９】
実施例２は、実施例１において、補強用保護チューブ３５、４５のずれ防止のための構成を変更したものであって、その他の構成は実施例１と同一である。この実施例２を図２７に基づき説明する。図２７は本発明の実施例２に係る電気掃除機の吸引ホースの本体連結具周りの側断面図である。なお、実施例１と同一または対応する部分には同一の符号を付し説明を簡略化する。
【００９０】
実施例１では、外側ホース３０に被せる補強用保護チューブ３５の端部に接着剤を塗布して、補強用保護チューブ３５の端部を外側ホース３０に接着していたが、この実施例２では、接着の代わりにホースカバー５８の内側に外側ホースの軟質部を挟着する環状リブ６９を設けている。したがって、ホースカバー５８を取り付けることにより、補強用保護チューブ３５が環状リブ６９と外側ホース３０との間に挟まれて固定される。このようにすると、外側ホース３０用の補強用保護チューブ３５の固定のために接着剤を塗布する必要がなくなるので、組立てが楽になる。
【実施例３】
【００９１】
実施例３は、実施例１における電源線３３の構成及び配線場所を変更したものであって、その他の構成は実施例１と同一である。この実施例を図２８及び図２９に基づき説明する。図２８は本発明の実施例３に係る電気掃除機の吸引ホースの軸方向に沿った部分断面図であり、図２９は同吸引ホースの軸と直角方向に切断した断面図である。なお、実施例１と同一または対応する部分には同一の符号を付し説明を簡略化する。
【００９２】
この実施例では、回転ブラシを駆動するモータ電源線３３を、外周が絶縁被覆で保護された絶縁被覆保護電線として構成し、外側ホース３０と内側ホース４０との間の空間部に軸方向に配置している。一方、制御線４３を、実施例１の場合と同様に内側ホース４０の硬質部４１に埋設された構成としている。
【００９３】
したがって、このように構成した吸引ホース４では、吸引ホ−ス４が曲げられて引張応力が増大することにより内側ホース４０が破れるようなことがあっても、１００Ｖのモータ電源線が直ちに露出することがなく、安全性を確保することができる。
【実施例４】
【００９４】
実施例４は、実施例１における電源線３３及び制御線４３の構成及び配線場所を変更したものであって、その他の構成は実施例１と同一である。この実施例を図３０及び図３１に基づき説明する。図３０は本発明の実施例４に係る電気掃除機の吸引ホースの軸方向に沿った部分断面図であり、図３１は同吸引ホースの軸と直角方向に切断した断面図である。なお、実施例１と同一または対応する部分には同一の符号を付し説明を簡略化する。
【００９５】
この実施例では、回転ブラシを駆動するモータ電源線３３を、外周が絶縁被覆で保護された絶縁被覆保護電線として構成し、外側ホース３０と内側ホース４０との間の空間部に軸方向に配置している。一方、制御線４３を、外側ホース３０の硬質部３１に埋設された構成としている。
【００９６】
したがって、このように構成した吸引ホース４では、吸引ホ−ス４が曲げられて引張応力が増大することにより内側ホース４０が破れるようなことがあっても、１００Ｖのモータ電源線が直ちに露出することがなく、安全性を確保することができる。
【実施例５】
【００９７】
実施例５は、実施例１における制御線４３の構成及び配線場所を変更したものであって、その他の構成は実施例１と同一である。この実施例を図３２及び図３３に基づき説明する。図３２は本発明の実施例５に係る電気掃除機の吸引ホースの軸方向に沿った部分断面図であり、図３３は同吸引ホースの軸と直角方向に切断した断面図である。なお、実施例１と同一または対応する部分には同一の符号を付し説明を簡略化する。
【００９８】
この実施例では、回転ブラシを駆動するモータ電源線３３を、実施例１の場合と同様に外側ホース３０の硬質部３１に埋設された構成としている。一方、制御線４３を、外周が絶縁被覆で保護された絶縁被覆保護電線として構成し、外側ホース３０と内側ホース４０との間の空間部に軸方向に配置している。
【００９９】
したがって、このように構成した吸引ホース４では、吸引ホ−ス４が曲げられて引張応力が増大することにより内側ホース４０が破れるようなことがあっても、１００Ｖのモータ電源線が直ちに露出することがなく、安全性を確保することができる。
【実施例６】
【０１００】
実施例６は、実施例１における外側ホース３０及び内側ホース４０の構成を変更するとともに、電源線３３及び制御線４３の構成及び配線場所を変更したものであって、その他の構成は実施例１と同一である。この実施例を図３４に基づき説明する。図３４は本発明の実施例６に係る電気掃除機の吸引ホースの軸方向に沿った部分断面図である。なお、実施例１と同一または対応する部分には同一の符号を付し説明を簡略化する。
【０１０１】
この実施例では、外側ホース３０を、スパイラル形状に蛇腹３６が形成された構成とし、モータ電源線３３及び制御線４３を、外周が絶縁被覆で保護された絶縁被覆電線とし、この両電線を外側ホース３０の蛇腹３６内側に沿ってスパイラル形状に配設したものである。一方、内側ホース４０は在来の吸引ホースと同様にスパイラル形状の鋼線を芯線として形成したホースである。
【０１０２】
したがって、このように構成した吸引ホース４では、吸引ホ−ス４が曲げられて引張応力が増大することにより内側ホース４０が破れるようなことがあっても、１００Ｖのモータ電源線が直ちに露出することがなく、安全性を確保することができる。
【図面の簡単な説明】
【０１０３】
【図１】本発明の実施例１に係る電気掃除機の全体外観斜視図である。
【図２】同電気掃除機の吸引ホースの外観図である。
【図３】同吸引ホースの断面図である。
【図４】同吸引ホースの本体連結具周りの側断面図である。
【図５】同連結具の平面図であって、ホースフックなどを省略した図である。
【図６】同電気掃除機の手元グリップの側断面図である。
【図７】同手元グリップの上蓋を外した状態における上面図である。
【図８】同吸引ホースの手元連結具部分の側断面図である。
【図９】同吸引ホースを構成する外側ホースの組立図である。
【図１０】同吸引ホースを構成する内側ホースの組立図である。
【図１１】内側ホースと外側ホースとを組み合わせた状態における掃除機本体側の接続管周りの側面図であって、下半分は外側ホースを取り外した状態を示す。
【図１２】同吸引ホースの本体連結具を構成する外側ホース接続管の側面図である。
【図１３】同外側ホース接続管の平面図である。
【図１４】同吸引ホースの手元グリップ側連結具を構成する外側ホース接続管の側面図である。
【図１５】同外側ホース接続管の平面図である。
【図１６】同吸引ホースの本体連結具を構成する内側ホース接続管の側面図である。
【図１７】同内側ホース接続管の平面図である。
【図１８】帯状シール材を巻き付けた状態の同内側ホース接続管の側面図である。
【図１９】同内側ホース接続管の帯状シール材を巻き付けた部分の断面図である。
【図２０】同内側ホース接続管に内側ホースを接続した状態図である。
【図２１】同吸引ホースの手元グリップ側連結具を構成する内側ホース接続管の側面図である。
【図２２】同内側ホース接続管の平面図である。
【図２３】同内側ホース接続管に内側ホースを接続した状態図である。
【図２４】図３におけるＡ−Ａ断面図である。
【図２５】図３におけるＢ−Ｂ断面図である。
【図２６】図３におけるＣ−Ｃ断面図である。
【図２７】本発明の実施例２に係る電気掃除機の吸引ホースの本体連結具周りの側断面図である。
【図２８】本発明の実施例３に係る電気掃除機の吸引ホースの軸方向に沿った部分断面図である。
【図２９】同吸引ホースの軸と直角方向に切断した断面図である。
【図３０】本発明の実施例４に係る電気掃除機の吸引ホースの軸方向に沿った部分断面図である。
【図３１】同吸引ホースの軸と直角方向に切断した断面図である。
【図３２】本発明の実施例５に係る電気掃除機の吸引ホースの軸方向に沿った部分断面図である。
【図３３】同吸引ホースの軸と直角方向に切断した断面図である。
【図３４】本発明の実施例６に係る電気掃除機の吸引ホースの軸方向に沿った部分断面図である。
【符号の説明】
【０１０４】
１  掃除機本体
２  吸込具
３  手元グリップ
４  吸引ホース
３０  外側ホース
３３  モータ電源線
４０  内側ホース
４３  制御線
【図１】
2005027973.tif 000003
【図２】
2005027973.tif 000004
【図３】
2005027973.tif 000005
【図４】
2005027973.tif 000006
【図５】
2005027973.tif 000007
【図６】
2005027973.tif 000008
【図７】
2005027973.tif 000009
【図８】
2005027973.tif 000010
【図９】
2005027973.tif 000011
【図１０】
2005027973.tif 000012
【図１１】
2005027973.tif 000013
【図１２】
2005027973.tif 000014
【図１３】
2005027973.tif 000015
【図１４】
2005027973.tif 000016
【図１５】
2005027973.tif 000017
【図１６】
2005027973.tif 000018
【図１７】
2005027973.tif 000019
【図１８】
2005027973.tif 000020
【図１９】
2005027973.tif 000021
【図２０】
2005027973.tif 000022
【図２１】
2005027973.tif 000023
【図２２】
2005027973.tif 000024
【図２３】
2005027973.tif 000025
【図２４】
2005027973.tif 000026
【図２５】
2005027973.tif 000027
【図２６】
2005027973.tif 000028
【図２７】
2005027973.tif 000029
【図２８】
2005027973.tif 000030
【図２９】
2005027973.tif 000031
【図３０】
2005027973.tif 000032
【図３１】
2005027973.tif 000033
【図３２】
2005027973.tif 000034
【図３３】
2005027973.tif 000035
【図３４】
2005027973.tif 000036